(57)【要約】【課題】液晶の焼きつきや、輝度ムラが発生するのを抑制することが可能な液晶表示装置を提供する。【解決手段】この液晶表示装置（フィールドシーケンシャル液晶表示装置１００）は、画素２２は複数のＬＥＤ２６が順番に発光する発光に応じて駆動され、共通電極２２３は発光する光源が切り替わるごとに液晶２２４を駆動する電圧の極性が切り替わるよう電圧が印加され、順番に発光する複数のＬＥＤ２６の各々が発光する期間に液晶２２４に印加される電圧の極性と、対応する各々のＬＥＤ２６が次に発光する期間に液晶２２４に印加される電圧の極性とを異ならせるように反転駆動を行うダミー期間を設ける。【選択図】図３
2009175298.tif 000002
【特許請求の範囲】
【請求項１】
液晶と前記液晶に電圧を印加する画素電極および共通電極を含む画素と、
マトリクス状に配置される複数の前記画素が設けられる表示部と、
複数の光源とを備え、
前記画素は前記複数の光源が順番に発光する発光に応じて駆動され、前記共通電極は発光する前記光源が切り替わるごとに前記液晶を駆動する電圧の極性が切り替わるよう電圧が印加され、
前記順番に発光する前記複数の光源の各々が発光する期間に前記液晶に印加される電圧の極性と、対応する前記各々の光源が次に発光する期間に前記液晶に印加される電圧の極性とを異ならせるように反転駆動を行うダミー期間が設けられている、
液晶表示装置。
【請求項２】
前記複数の光源は、第１の色を発光する第１光源と、前記第１の色とは異なる第２の色を発光する第２光源とを含み、前記第１光源が発光する第１期間と、前記第２光源が発光する第２期間と、前記ダミー期間とが設けられている、請求項１に記載の液晶表示装置。
【請求項３】
前記複数の光源は、前記第１光源および前記第２光源が発光する光の強さよりも弱い光を発光する第３光源をさらに含み、
前記ダミー期間には、前記第３光源が発光するように構成されている、請求項２に記載の液晶表示装置。
【請求項４】
前記第１期間の前記複数の画素の透過率が略最小になる状態と、前記第２期間の前記複数の画素の透過率が略最小になる状態と、前記ダミー期間の前記複数の画素の透過率が略最大になる状態とで黒が表示されるように前記第３光源の発光が調整されている、請求項３に記載の液晶表示装置。
【請求項５】
前記ダミー期間には、前記複数の画素の透過率が略最大になるように構成されている、請求項３または４のいずれかに記載の液晶表示装置。
【請求項６】
前記ダミー期間には、前記複数の画素に一斉にデータの書込みが行われるように構成されている、請求項５に記載の液晶表示装置。
【請求項７】
前記第１光源、前記第２光源および前記第３光源が発光する色は、それぞれ、赤、緑および青のうちから選択された互いに異なる色である、請求項３〜６のいずれか１項に記載の液晶表示装置。
【請求項８】
前記第１光源および前記第２光源が発光する色は、それぞれ、赤および緑の一方および他方であるとともに、前記第３光源が発光する色は青である、請求項７に記載の液晶表示装置。
【請求項９】
前記第１光源、前記第２光源および前記第３光源が発光する色は、それぞれ、シアン、マゼンダおよびイエローのうちから選択された互いに異なる色である、請求項３〜６のいずれか１項に記載の液晶表示装置。
【請求項１０】
請求項１〜９のいずれか１項に記載の液晶表示装置を備える、ヘッドアップディスプレイ。
【発明の詳細な説明】
【技術分野】
【０００１】
本発明は、液晶表示装置およびヘッドアップディスプレイに関し、特に、複数の光源が順番に発光するフィールドシーケンシャル駆動の液晶表示装置およびヘッドアップディスプレイに関する。
【背景技術】
【０００２】
従来、複数の光源が順番に発光するフィールドシーケンシャル駆動の液晶表示装置が知られている（たとえば、特許文献１参照）。
【０００３】
上記特許文献１には、互いに補色の関係にある２種類の発光ダイオード光源と、液晶表示素子とを備える液晶表示装置（ヘッドアップディスプレイ）が開示されている。上記特許文献１では、２種類の発光ダイオード光源を交互に発光させ、人間の目の残像現象によりカラーの画像を認識させるフィールドシーケンシャル駆動によって液晶表示素子上にカラー表示を行っている。
【０００４】
【特許文献１】特開２００３−２９５１０５号公報
【発明の開示】
【発明が解決しようとする課題】
【０００５】
しかしながら、上記特許文献１に記載の液晶表示装置では、発光ダイオード光源の発光が切り替わるごとに画素の共通電極に印加される電圧の極性が切り替わる反転駆動をさせた場合に、発光ダイオード光源が２種類（偶数）であるので、２種類の色のうち、一方の色が表示されるときに画素の共通電極に印加される電圧の極性は、常に同じになる。このため、１つの同じ画像を表示し続けている間、画像に対応する画素の共通電極には、同じ極性の電圧が印加され続ける。その結果、液晶の焼きつきや、輝度ムラが発生するという問題点がある。
【０００６】
この発明は、上記のような課題を解決するためになされたものであり、この発明の１つの目的は、液晶の焼きつきや、輝度ムラが発生するのを抑制することが可能な液晶表示装置を提供することである。
【課題を解決するための手段および発明の効果】
【０００７】
この発明の第１の局面による液晶表示装置は、液晶と液晶に電圧を印加する画素電極および共通電極を含む画素と、マトリクス状に配置される複数の画素が設けられる表示部と、複数の光源とを備え、画素は複数の光源が順番に発光する発光に応じて駆動され、共通電極は発光する光源が切り替わるごとに液晶を駆動する電圧の極性が切り替わるよう電圧が印加され、順番に発光する複数の光源の各々が発光する期間に液晶に印加される電圧の極性と、対応する各々の光源が次に発光する期間に液晶に印加される電圧の極性とを異ならせるように反転駆動を行うダミー期間が設けられている。
【０００８】
この第１の局面による液晶表示装置では、上記のように、順番に発光する複数の光源の各々の光源が発光する期間に画素の液晶に印加される電圧の極性と、対応する各々の光源が次に発光する期間に画素の液晶に印加される電圧の極性とを異ならせるように反転駆動を行うダミー期間を設けることによって、複数の光源のうち、同じ色の光源が発光する期間に画素の液晶に印加される電圧の極性が常に同じになるのを抑制することができるので、液晶の焼きつきや、輝度ムラが発生するのを抑制することができる。
【０００９】
上記第１の局面による液晶表示装置において、好ましくは、複数の光源は、第１の色を発光する第１光源と、第１の色とは異なる第２の色を発光する第２光源とを含み、第１光源が発光する第１期間と、第２光源が発光する第２期間と、ダミー期間とが設けられている。このように構成すれば、最初に第１光源が発光してから次に第１光源が発光するまでの間に、共通電極に印加される電圧が、第１期間、第２期間およびダミー期間の奇数回反転駆動されるので、最初に第１光源が発光する際に液晶に印加される電圧の極性と、次に第１光源が発光する際に液晶に印加される電圧の極性とを確実に異ならせることができる。
【００１０】
この場合、好ましくは、複数の光源は、第１光源および第２光源が発光する光の強さよりも弱い光を発光する第３光源をさらに含み、ダミー期間には、第３光源が発光するように構成されている。このように構成すれば、第１光源の色、第２光源の色、および、第１光源と第２光源との加法混色による色を表示することができる。たとえば、第１光源を赤色、第２光源を緑色および第３光源を青色にし、光の強さを弱くした第１光源と、光の強さを弱くした第２光源と、第３光源との加法混色により、黒色を表示することができる。また、第３光源の光の強さを、第１光源および第２光源が発光する光の強さよりも弱い光を発光するように構成することによって、第３光源の光の強さが弱い分、消費電力を小さくすることができる。
【００１１】
上記ダミー期間に第３光源が発光する液晶表示装置において、好ましくは、第１期間の複数の画素の透過率が略最小になる状態と、第２期間の複数の画素の透過率が略最小になる状態と、ダミー期間の複数の画素の透過率が略最大になる状態とで黒が表示されるように第３光源の発光が調整されている。このように構成すれば、たとえば、第１光源を赤色、第２光源を緑色および第３光源を青色にし、各色の透過量を揃えることによって、第１光源、第２光源および第３光源の加法混色により、黒が表示される部分を確実に黒色に表示することができる。
【００１２】
上記ダミー期間に第３光源が発光する液晶表示装置において、好ましくは、ダミー期間には、複数の画素の透過率が略最大になるように構成されている。このように構成すれば、透過率を略最小にして、第１光源および第２光源を発光するとともに、透過率を略最大にして第１光源および第２光源の光の強さよりも弱い光を発光する第３光源を発光することにより、各色の透過量を揃えることができる。
【００１３】
この場合、好ましくは、ダミー期間には、複数の画素に一斉にデータの書込みが行われるように構成されている。このように構成すれば、画素ごとにデータを順次書き込む場合と異なり、画素にデータを書き込む時間を短縮することができるので、フィールドシーケンシャルの駆動を速くすることができる。
【００１４】
上記ダミー期間に第３光源が発光する液晶表示装置において、好ましくは、第１光源、第２光源および第３光源が発光する色は、それぞれ、赤、緑および青のうちから選択された互いに異なる色である。このように構成すれば、加法混色により、容易に、カラー画像を表示することができる。
【００１５】
この場合、好ましくは、第１光源および第２光源が発光する色は、それぞれ、赤および緑の一方および他方であるとともに、第３光源が発光する色は青である。このように構成すれば、赤色の表示、緑色の表示、および、赤色と緑色との加法混色による色の表示を行うことができる。また、光の強さを弱くした赤色および光の強さを弱くした緑色と、光の強さの弱い青色との加法混色により、黒色を表示することができる。
【００１６】
上記ダミー期間に第３光源が発光する液晶表示装置において、好ましくは、第１光源、第２光源および第３光源が発光する色は、それぞれ、シアン、マゼンダおよびイエローのうちから選択された互いに異なる色である。このように構成すれば、減法混色により、容易に、カラー画像を表示することができる。
【００１７】
この発明の第２の局面によるヘッドアップディスプレイは、請求項１〜１０のいずれか１項に記載の液晶表示装置を備える。このように構成すれば、液晶の焼きつきや、輝度ムラが発生するのを抑制することが可能なヘッドアップディスプレイを得ることができる。
【発明を実施するための最良の形態】
【００１８】
以下、本発明の実施形態を図面に基づいて説明する。
【００１９】
（第１実施形態）
図１は、本発明の第１実施形態によるフィールドシーケンシャル液晶表示装置の全体構成を示すブロック図である。図２は、本発明の第１実施形態による画素の構成を示す図である。まず、図１および図２を参照して、第１実施形態によるフィールドシーケンシャル液晶表示装置１００の構造について説明する。なお、第１実施形態では、液晶表示装置の一例であるフィールドシーケンシャル液晶表示装置１００に本発明を適用した場合について説明する。
【００２０】
第１実施形態によるフィールドシーケンシャル液晶表示装置１００は、図１に示すように、駆動部１と表示部２とから構成されている。以下、詳細に説明する。
【００２１】
図１に示すように、駆動部１は、Ａ／Ｄコンバータ１１と、ＰＬＬ（位相同期）回路１２と、メモリ制御部１３と、メモリ１４と、アナログドライバ１５と、タイミング制御回路１６と、レベル変換回路１７と、共通電極ドライバ１８と、ＬＥＤ制御回路１９と、マイコン部２０とから構成されている。
【００２２】
Ａ／Ｄコンバータ１１と、ＰＬＬ回路１２と、メモリ制御部１３とは接続されている。Ａ／Ｄコンバータ１１は、アナログのビデオ信号をＲ（赤）Ｇ（緑）Ｂ（青）のデジタル信号に変換する機能を有する。また、ＰＬＬ回路１２は、水平同期信号からメモリ１４に書き込むクロックを生成するとともに、フィールドシーケンシャル駆動に必要なクロックを生成する機能を有する。また、メモリ制御部１３は、ＲＧＢのデジタル信号に変換されたビデオ信号をＲＧＢごとにメモリ１４に格納するタイミング信号を生成するとともに、フィールドシーケンシャル駆動に必要な呼び出しのタイミング信号を生成する機能を有する。
【００２３】
また、Ａ／Ｄコンバータ１１とメモリ１４とは、接続されている。また、メモリ制御部１３とメモリ１４とは、接続されている。メモリ１４は、ＲＧＢのデジタル信号を記憶する機能を有する。
【００２４】
また、メモリ１４とアナログドライバ１５とは、接続されている。アナログドライバ１５は、ＲＧＢのデジタル信号をＲＧＢのアナログ信号に変換するとともに、ＲＧＢのアナログ信号を表示部２に供給する機能を有する。
【００２５】
また、タイミング制御回路１６は、メモリ１４と、レベル変換回路１７と、共通電極ドライバ１８と、ＬＥＤ制御回路１９とに接続されている。タイミング制御回路１６は、後述する画素２２を駆動する信号を生成する機能を有する。レベル変換回路１７は、画素２２を駆動するためのパルス（水平・垂直コントロール信号、フィールドシーケンシャル駆動用コントロール信号）を生成する機能を有する。共通電極ドライバ１８は、後述する共通電極２２３に印加する電圧を決定し、画素２２へ供給する機能を有する。また、ＬＥＤ制御回路１９は、フィールドシーケンシャル駆動のタイミングに合せて後述するＬＥＤ２６の発光および発光の停止を制御する機能を有する。
【００２６】
また、マイコン部２０は、駆動部１に含まれる全ての回路と接続されており、駆動部１全体の動作を制御する機能を有している。
【００２７】
また、第１実施形態では、図１に示すように、表示部２は、基板２１と、複数の画素２２と、複数の画素２２に接続されるＨドライバ２３およびＶドライバ２４と、Ｈドライバ２３およびＶドライバ２４を駆動する内部駆動回路２５と、画素２２のバックライト（光源）として赤色（Ｒ）、緑色（Ｇ）および青色（Ｂ）を発光するＬＥＤ２６（２６ａ〜２６ｃ）とから構成されている。なお、ＬＥＤ２６は、本発明の「光源」の一例である。ここで、第１実施形態では、ＬＥＤ２６（２６ａ〜２６ｃ）のうち、青色（Ｂ）を発光するＬＥＤ２６ｃの光の強さは、赤色（Ｒ）および緑色（Ｇ）を発光するＬＥＤ２６ａおよび２６ｂの光の強さよりも、弱くなるように構成されている。なお、赤色（Ｒ）を発光するＬＥＤ２６ａは、本発明の「第１の色を発光する第１光源」の一例であるとともに、緑色（Ｇ）を発光するＬＥＤ２６ｂは、本発明の「第２の色を発光する第２光源」の一例である。また、青色（Ｂ）を発光するＬＥＤ２６ｃは、本発明の「第３光源」の一例である。
【００２８】
また、図２に示すように、基板２１上には、複数の信号線３１と、複数の走査線３２とが互いに直交するように配置されている。信号線３１は、Ｈドライバ２３に接続されているとともに、走査線３２は、Ｖドライバ２４に接続されている。信号線３１と走査線３２とが交差する位置には、画素２２が配置されている。なお、図２には、簡素化のために４画素分の構成のみを示している。各々の画素２２は、ｎチャネルトランジスタ２２１と、画素電極２２２と、画素電極２２２に対向配置された共通電極２２３と、画素電極２２２と共通電極２２３との間に挟持された液晶２２４と、補助容量２２５とによって構成されている。そして、ｎチャネルトランジスタ２２１のドレイン領域Ｄは、信号線３１に接続されているとともに、ソース領域Ｓは、画素電極２２２と補助容量２２５の一方の電極とに接続されている。また、ｎチャネルトランジスタ２２１のゲートＧは、走査線３２に接続されている。
【００２９】
図３は、本発明の第１実施形態によるフィールドシーケンシャル液晶表示装置の動作を説明するための図である。次に、図１および図３を用いて、本発明の第１実施形態によるフィールドシーケンシャル液晶表示装置１００の動作について説明する。
【００３０】
まず、図１に示すように、アナログのビデオ信号がＡ／Ｄコンバータ１１に入力されるとともに、アナログのビデオ信号がＲＧＢのデジタル信号に変換される。また、水平・垂直同期信号がＰＬＬ回路１２に入力される。また、メモリ制御部１３によって生成された、赤色、緑色および青色の信号ごとにメモリ１４に格納するタイミング信号にしたがって、ＲＧＢのデジタル信号が、メモリ１４に格納される。
【００３１】
また、タイミング制御回路１６により、ＲＧＢの画像データの書込みのタイミング、および、ＬＥＤ２６の発光のタイミング信号が生成される。このタイミング制御回路１６によって生成されたタイミング信号に基づいて、水平・垂直コントロール信号およびフィールドシーケンシャル駆動用コントロール信号がレベル変換回路１７を介して、表示部２に供給される。また、共通電極ドライバ１８によって、共通電極２２３（図２参照）に印加される電圧が決定され、表示部２に供給される。また、ＬＥＤ制御回路１９によって、フィールドシーケンシャル駆動のタイミングに会わせてＬＥＤ２６の発光の制御が行われる。
【００３２】
また、図３に示すように、マトリクス状に配置される画素２２の共通電極２２３（図２参照）には、交流電圧が印加され、行ごとに印加される電圧の極性が正（＋）電圧と負（−）電圧とに異なるライン反転駆動が行われる。なお、画素２２に印加されるビデオ信号も交流の信号となる。
【００３３】
次に、表示部２に黒色の画像が表示される場合のフィールドシーケンシャル液晶表示装置１００の動作について説明する。
【００３４】
まず、マトリクス状に配置される画素２２の奇数行目（１ライン目、３ライン目・・・）の画素２２の共通電極２２３には、正（＋）電圧が印加される。また、マトリクス状に配置される画素２２の偶数行目（２ライン目、４ライン目・・・）の画素２２の共通電極２２３には、負（−）電圧が印加される。そして、アナログドライバ１５からの信号により、表示部２の画素２２に赤色画像が順次書き込まれる。また、第１実施形態では、表示部２に配置される画素２２の透過率が最小になるように調整される。その後、赤色のＬＥＤ２６ａが赤色発光期間の間発光される。なお、赤色発光期間は、本発明の「第１期間」の一例である。
【００３５】
次に、マトリクス状に配置される画素２２の奇数行目の画素２２の共通電極２２３には、負（−）電圧が印加される。また、マトリクス状に配置される画素２２の偶数行目の画素２２の共通電極２２３には、正（＋）電圧が印加される。そして、アナログドライバ１５からの信号により、表示部２の画素２２に緑色画像が順次書き込まれる。また、第１実施形態では、表示部２に配置される画素２２の透過率が最小になるように調整される。その後、緑色のＬＥＤ２６ｂが緑色発光期間の間発光される。なお、緑色発光期間は、本発明の「第２期間」の一例である。
【００３６】
次に、マトリクス状に配置される画素２２の奇数行目の画素２２の共通電極２２３には、正（＋）電圧が印加される。また、マトリクス状に配置される画素２２の偶数行目の画素２２の共通電極２２３には、負（−）電圧が印加される。そして、アナログドライバ１５からの信号により、表示部２の画素２２に青色画像が順次書き込まれる。また、第１実施形態では、表示部２に配置される画素２２の透過率が、赤色発光期間および緑色発光期間と異なり、最大になるように調整される。その後、青色のＬＥＤ２６ｃが青色発光期間（ダミー期間）の間発光される。なお、青色発光期間（ダミー期間）は、上記赤（緑）の期間に画素２２の共通電極２２３に印加される電圧の極性と、次の赤（緑）の期間に画素２２の共通電極２２３に印加される電圧の極性とを異ならせるようにライン反転駆動を行うためのものである。
【００３７】
上記赤色のＬＥＤ２６ａの発光、緑色のＬＥＤ２６ｂの発光、および、青色のＬＥＤ２６ｃの発光が連続して行われることにより、人間の目の残像現象により黒色の画像が認識される。なお、画素２２の透過率を最小にした時の画素２２を透過する赤のＬＥＤ２６ａの光の強さと、画素２２の透過率を最小にした時の画素２２を透過する緑のＬＥＤ２６ｂの光の強さと、画素２２の透過率を最大にした時の画素２２を透過する青のＬＥＤ２６ｃの光の強さとが略同じになるように、ＬＥＤ２６ａ〜ＬＥＤ２６ｃの光の強さが調整されている。
【００３８】
次に、マトリクス状に配置される画素２２の奇数行目の画素２２の共通電極２２３には、負（−）電圧が印加される。また、マトリクス状に配置される画素２２の偶数行目の画素２２の共通電極２２３には、正（＋）電圧が印加される。そして、アナログドライバ１５からの信号により、表示部２の画素２２に赤色画像が順次書き込まれる。その後、赤色のＬＥＤ２６ａが赤色発光期間の間発光される。上記のように、第１実施形態では、１回目の赤色発光期間に画素２２の共通電極２２３に印加される電圧の極性と、２回目の赤色発光期間に画素２２の共通電極２２３に印加される電圧の極性とを異ならせる。同様に、１回目の緑（青）の期間に画素２２の共通電極２２３に印加される電圧の極性と、２回目の緑（青）の期間に画素２２の共通電極２２３に印加される電圧の極性とを異ならせる。このように、第１実施形態では、連続する赤色発光期間および緑色発光期間の間に、青色発光期間（ダミー期間）が設けられている。つまり、赤、緑、青（ダミー）、赤、緑および青（ダミー）の順にＬＥＤ２６が発光される。
【００３９】
なお、赤色の表示、緑色の表示、および、赤色と緑色との加法混色（たとえば、黄色）の表示は、画素２２の透過率を調整することにより、表示部２に表示される。
【００４０】
図４および図５は、本発明の第１実施形態による液晶表示装置を用いたヘッドアップディスプレイを説明するための図である。次に、図４および図５を参照して、本発明の第１実施形態による液晶表示装置１００を用いたヘッドアップディスプレイ４００について説明する。
【００４１】
本発明の第１実施形態による液晶表示装置１００は、図４に示すように、ヘッドアップディスプレイ４００に用いることが可能である。液晶表示装置１００は、被表示体（たとえば、自動車のフロントガラスなど）４０１に表示光Ｌ１を投射することが可能なように所定の装置に装着されている。具体的には、液晶表示装置１００は、表示部２とＬＥＤ２６とを含み、表示部２は、ＬＥＤ２６と凹面鏡４０２との間に配置されている。そして、液晶表示装置１００から出射される表示光Ｌ１は、ＬＥＤ２６からの光Ｌ２が表示部２に入射されることによって生成される。また、液晶表示装置１００から出射される表示光Ｌ１は、凹面鏡４０２により被表示体４０１側に反射されて被表示体４０１に投射される。なお、上記した液晶表示装置１００および凹面鏡４０２は、表示光Ｌ１を透過させるための窓部４０３ａを有するケース４０３の内部に収納されている。このような車載用のヘッドアップディスプレイ４００は、図５に示すように、自動車の運転に必要な情報表示（たとえば、方向指示、車間距離、走行距離、各種警告情報、道路情報や道案内情報、人や物等の障害物情報など）に用いられるが、このような情報の表示は、自然画などと異なり、表示に使用する色数は少なくてよい。そして、本発明の液晶表示装置１００は、赤色、緑色および赤と緑との加法混色が表示される表示装置であるため、このようなヘッドアップディスプレイ４００に好適な液晶表示装置とすることができる。
【００４２】
第１実施形態では、上記のように、赤のＬＥＤ２６ａ（緑のＬＥＤ２６ｂ）の光源が発光する期間に画素２２の共通電極２２３に印加される電圧の極性と、赤のＬＥＤ２６ａ（緑のＬＥＤ２６ｂ）が次に発光する期間に画素２２の共通電極２２３に印加される電圧の極性とを異ならせるようにライン反転駆動を行う青色発光期間（ダミー期間）を設けることによって、赤のＬＥＤ２６ａ（緑のＬＥＤ２６ｂ）が発光する期間に画素２２の共通電極２２３に印加される電圧の極性が常に同じになるのを抑制することができるので、液晶２２４の焼きつきや、輝度ムラが発生するのを抑制することができる。
【００４３】
また、第１実施形態では、上記のように、赤のＬＥＤ２６ａが発光する赤色発光期間と、緑のＬＥＤ２６ｂが発光する緑色発光期間とは連続しており、連続する複数の赤色発光期間および緑色発光期間の間に、共通電極２２３に印加される電圧の極性を異ならせるようにライン反転駆動を行う青色発光期間（ダミー期間）を設けることによって、最初に赤のＬＥＤ２６ａが発光してから次に赤のＬＥＤ２６ａが発光するまでの間に、共通電極２２３に印加される電圧が、赤色発光期間、緑色発光期間および青色発光期間（ダミー期間）の奇数回反転駆動されるので、最初に赤のＬＥＤ２６ａが発光する際に共通電極２２３に印加される電圧の極性と、次に赤のＬＥＤ２６ａが発光する際に共通電極２２３に印加される電圧の極性とを確実に異ならせることができる。
【００４４】
また、第１実施形態では、上記のように、複数のＬＥＤ２６は、赤のＬＥＤ２６ａおよび緑のＬＥＤ２６ｂが発光する光の強さよりも弱い光を発光する青のＬＥＤ２６ｃを含み、青色発光期間（ダミー期間）には、青のＬＥＤ２６ｃが発光するように構成することによって、ＬＥＤ２６ａの赤色、ＬＥＤ２６ｂの緑色、および、赤のＬＥＤ２６ａと緑のＬＥＤ２６ｂとの加法混色による色を表示することができる。また、光の強さを弱くした赤のＬＥＤ２６ａおよび光の強さを弱くした緑のＬＥＤ２６ｂと、青のＬＥＤ２６ｃとの加法混色により、黒色を表示することができる。また、青のＬＥＤ２６ｃの光の強さを、赤のＬＥＤ２６ａおよび緑のＬＥＤ２６ｂが発光する光の強さよりも弱い光を発光するように構成することによって、青のＬＥＤ２６ｃの光の強さが弱い分、消費電力を小さくすることができる。
【００４５】
また、第１実施形態では、上記のように、青色発光期間（ダミー期間）には、画素２２の透過率を最大にすることによって、青のＬＥＤ２６ｃの光を最大限透過することができるので、赤のＬＥＤ２６ａおよび緑のＬＥＤ２６ｂの光の強さを弱くすることにより、赤のＬＥＤ２６ａ、緑のＬＥＤ２６ｂおよび青のＬＥＤ２６ｃの光の強さを揃えることができる。
【００４６】
また、第１実施形態では、上記のように、赤色発光期間に複数の画素２２の透過率が最小になる状態で赤のＬＥＤ２６ａを発光した後、緑色発光期間に複数の画素２２の透過率が最小になる状態で緑のＬＥＤ２６ｂを発光し、その後、青色発光期間（ダミー期間）に複数の画素２２の透過率が最大になる状態で青のＬＥＤ２６ｃが発光するように構成することによって、赤のＬＥＤ２６ａ、緑のＬＥＤ２６ｂおよび青のＬＥＤ２６ｃの加法混色により、確実に黒色を表示することができる。
【００４７】
また、第１実施形態では、上記のように、ＬＥＤ２６ａ、ＬＥＤ２６ｂおよびＬＥＤ２６ｃが発光する色を、それぞれ、赤、緑および青のうちから選択された互いに異なる色にすることによって、加法混色により、容易に、カラー画像を表示することができる。
【００４８】
また、第１実施形態では、上記のように、ＬＥＤ２６ａおよびＬＥＤ２６ｂが発光する色を、それぞれ、赤および緑とするとともに、ＬＥＤ２６ａおよびＬＥＤ２６ｂよりも発光する光の強さが弱いＬＥＤ２６ｃが発光する色を青とすることによって、赤色の表示、緑色の表示、および、赤色と緑色との加法混色による色の表示を行うことができる。また、光の強さを弱くした赤色および光の強さを弱くした緑色と、光の強さの弱い青色との加法混色により、黒色を表示することができる。
【００４９】
（第２実施形態）
図６は、本発明の第２実施形態によるフィールドシーケンシャル液晶表示装置の動作を説明するための図である。図６を参照して、この第２実施形態では、上記第１実施形態と異なり、画素２２への画像データの書込みが一斉に行われるフィールドシーケンシャル液晶表示装置１００ａについて説明する。
【００５０】
この第２実施形態によるフィールドシーケンシャル液晶表示装置１００ａの構成は、図１に示す、上記第１実施形態と同様である。
【００５１】
次に、図６を参照して、表示部２に黒色の画像が表示される場合のフィールドシーケンシャル液晶表示装置１００ａの動作について説明する。
【００５２】
まず、赤色発光期間において上記第１実施形態と同様に、マトリクス状に配置される画素２２の奇数行目（１ライン目、３ライン目・・・）の画素２２の共通電極２２３には、正（＋）電圧が印加される。また、マトリクス状に配置される画素２２の偶数行目（２ライン目、４ライン目・・・）の画素２２の共通電極２２３には、負（−）電圧が印加される。そして、アナログドライバ１５からの信号により、表示部２の画素２２に赤色画像が順次書き込まれる。このとき、画素２２の透過率は、最小になるように調整される。その後、赤のＬＥＤ２６ａが発光される。
【００５３】
次に、緑色発光期間において、マトリクス状に配置される画素２２の奇数行目の画素２２の共通電極２２３には、負（−）電圧が印加される。また、マトリクス状に配置される画素２２の偶数行目の画素２２の共通電極２２３には、正（＋）電圧が印加される。そして、アナログドライバ１５からの信号により、表示部２の画素２２に緑色画像が順次書き込まれる。このとき、画素２２の透過率は、最小になるように調整される。その後、緑のＬＥＤ２６ａが発光される。
【００５４】
次に、青色発光期間（ダミー期間）において、マトリクス状に配置される画素２２の奇数行目の画素２２の共通電極２２３には、正（＋）電圧が印加される。また、マトリクス状に配置される画素２２の偶数行目の画素２２の共通電極２２３には、負（−）電圧が印加される。ここで、第２実施形態では、画素２２に順次書き込まれる赤色画像および緑色画像と異なり、アナログドライバ１５からの信号により、画素２２の透過率が最大になるように、表示部２の画素２２に青色画像が一斉に書き込まれる。その後、画素２２の透過率を最大にした状態で、青のＬＥＤ２６ａが発光される。
【００５５】
なお、第２実施形態のその他の動作は、上記第１実施形態と同様である。
【００５６】
第２実施形態では、上記のように、青色発光期間（ダミー期間）には、複数の画素２２の透過率が最大になるように画素２２に一斉にデータの書込みが行われることによって、画素２２ごとにデータを順次書き込む場合と異なり、画素２２にデータを書き込む時間を短縮することができるので、フィールドシーケンシャルの駆動を速くすることができる。
【００５７】
なお、第２実施形態のその他の効果は、上記第１実施形態と同様である。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
たとえば、上記第１および第２実施形態では、光源としてＬＥＤを用いる例を示したが、本発明はこれに限らず、たとえば、有機ＥＬのような他の発光体を用いてもよい。
【００６０】
また、上記第１および第２実施形態では、赤、緑および青の色の光を発光するＬＥＤを用いる例を示したが、本発明はこれに限らず、シアン、マゼンダおよびイエローの色の光を発光するＬＥＤを用いてもよい。これにより、減法混色により、容易に、カラー画像を表示することができる。
【００６１】
また、上記第１および第２実施形態では、赤のＬＥＤおよび緑のＬＥＤが発光する光の強さよりも、青のＬＥＤが発光する光の強さを弱くする例を示したが、本発明はこれに限らず、緑のＬＥＤおよび青のＬＥＤが発光する光の強さよりも、赤のＬＥＤが発光する光の強さを弱くしてもよいし、赤のＬＥＤおよび青のＬＥＤが発光する光の強さよりも、緑のＬＥＤが発光する光の強さを弱くしてもよい。
【００６２】
また、上記第１および第２実施形態では、画素の共通電極に印加される電圧がライン反転駆動する例を示したが、本発明はこれに限らず、反転駆動であれば、フレーム反転駆動、ドット反転駆動などのその他の反転駆動をさせてもよい。
【００６３】
また、上記第１および第２実施形態では、緑色発光期間の後にダミー期間を設ける例を示したが、本発明はこれに限らず、赤色発光期間の後にダミー期間を設け、ダミー期間の後に緑色発光期間を設けてもよい。
【図面の簡単な説明】
【００６４】
【図１】本発明の第１実施形態によるフィールドシーケンシャル液晶表示装置の全体構成を示すブロック図である。
【図２】本発明の第１実施形態による画素の構成を示す図である。
【図３】本発明の第１実施形態によるフィールドシーケンシャル液晶表示装置の動作を説明するための図である。
【図４】本発明の第１実施形態による液晶表示装置を用いたヘッドアップディスプレイを説明するための図である。
【図５】本発明の第１実施形態による液晶表示装置を用いたヘッドアップディスプレイを説明するための図である。
【図６】本発明の第２実施形態によるフィールドシーケンシャル液晶表示装置の動作を説明するための図である。
【符号の説明】
【００６５】
２  表示部
２２  画素
２６  ＬＥＤ（光源）
２６ａ  ＬＥＤ（第１光源）
２６ｂ  ＬＥＤ（第２光源）
２６ｃ  ＬＥＤ（第３光源）
２２２  画素電極
２２３  共通電極
【図１】
2009175298.tif 000003
【図２】
2009175298.tif 000004
【図３】
2009175298.tif 000005
【図４】
2009175298.tif 000006
【図５】
2009175298.tif 000007
【図６】
2009175298.tif 000008